(57)【要約】【課題】フレキシブル配線基板において、プリント配線の本数を確保すると共に、可撓性、追従性等を改善しつつ、幅狭化、小型化を図る。【解決手段】第１接続要素に接続される平板状の基部領域６１、第２接続要素に接続される平板状の端部領域６２，６３、基部領域と端部領域を連結すると共に可撓性をもつ平板状の長尺可撓部領域とを備えるフレキシブル配線基板において、長尺可撓部領域は、基部領域から分岐して伸長すると共に端部領域をそれぞれ画定する複数の分岐枝６４，６５からなり、複数の分岐枝６４，６５はお互いに重なり合って伸長するように形成されている。これによれば、複数のプリント配線を設けつつもフレキシブル配線基板の幅寸法を小さく抑えることができ、可撓性及び柔軟性を高めて、狭いスペースにおいても容易に配設することができる。【選択図】図４
2010205774.tif 000002
【特許請求の範囲】
【請求項１】
第１接続要素に接続される平板状の基部領域と、第２接続要素に接続される平板状の端部領域と、前記基部領域と前記端部領域を連結すると共に可撓性をもつ平板状の長尺可撓部領域と、を備えるフレキシブル配線基板であって、
前記長尺可撓部領域は、前記基部領域から分岐して伸長すると共に前記端部領域をそれぞれ画定する複数の分岐枝からなり、
前記複数の分岐枝は、お互いに重なり合って伸長するように形成されている、
ことを特徴とするフレキシブル配線基板。
【請求項２】
前記複数の分岐枝は、前記基部領域から直接伸長する少なくとも一つの主分岐枝と、前記主分岐枝に折り重ねられる少なくとも一つの従分岐枝を含む、
ことを特徴とする請求項１に記載のフレキシブル配線基板。
【請求項３】
前記基部領域、前記端部領域、及び前記長尺可撓領域には、片面にのみプリント配線が設けられており、
前記従分岐枝は、前記基部領域の近傍において、少なくとも２回折り曲げられる折り曲げ部を含む、
ことを特徴とする請求項２に記載のフレキシブル配線基板。
【請求項４】
固定要素と、レンズ光学系を含む可動要素と、前記固定要素と前記可動要素の間に接続される配線要素とを備えた、光学装置であって、
前記配線要素は、請求項１ないし３のいずれか一つに記載のフレキシブル配線基板である、
ことを特徴とする光学装置。
【発明の詳細な説明】
【技術分野】
【０００１】
本発明は、電子機器等の配線に適用されるフレキシブル配線基板及びフレキシブル配線基板を用いた光学装置に関し、特に、カメラ、ビデオカメラ、投影機等に搭載されるレンズ光学系の可動要素等に一端が接続されるフレキシブル配線基板及び光学装置に関する。
【背景技術】
【０００２】
従来のフレキシブル配線基板としては、カメラのレンズ鏡胴において、その一端をベース（固定要素）に固定し、その他端を可動レンズ群（可動要素）に接続し、可動レンズ群が光軸方向に移動するのを許容するべく途中に複数の折り返し部を設けたものが知られている（例えば、特許文献１、特許文献２参照）。
このフレキシブル配線基板は、片面に複数の配線がプリントされた可撓性のプリント基板であり、プリント配線の本数が増えるに連れて、その幅寸法がより大きく形成されるものである。しかしながら、幅広のフレキシブル配線基板を用いると、可撓性が低下して屈曲し難くなるため可動要素の駆動負荷が増加する。また、フレキシブル配線基板の収容スペースが大きくなり、このフレキシブル配線基板を収容するレンズ鏡胴や装置の大型化を招くことになる。
【０００３】
また、他のフレキシブル配線基板としては、幅広のフレキシブル配線基板において、長手方向に伸長する複数のスリットや切り込みを設けることで、撓み易くして、可動要素の負荷抵抗を軽減するようにしたものが知られている（例えば、特許文献３、特許文献４参照）。
しかしながら、スリットや切り込みを設けることで可撓性は改善されたとしても、フレキシブル配線基板の幅寸法が大きい故に、依然として、狭いスペースに配設するのは困難であり、収容スペースの増大、装置等の大型化の問題は解消されない。
一方、プリント配線基板の幅を小さくして、その両面にプリント配線を設けることも考えられるが、幅寸法は小さくできるものの厚さ寸法が増加して、可撓性が低下し（屈曲し難くなり）、前述同様に、可動要素を駆動する際の駆動負荷の増加を招き、又、配線がし難くなる。
【先行技術文献】
【特許文献】
【０００４】
【特許文献１】特開２００４−１６３７４８号公報
【特許文献２】特開２００７−０９３９０７号公報
【特許文献３】特開２００７−０４３１２９号公報
【特許文献４】特開２００３−１４１７５５号公報
【発明の概要】
【発明が解決しようとする課題】
【０００５】
本発明は、上記の事情に鑑みて成されたものであり、その目的とするところは、複数のプリント配線を設けつつ、可撓性、柔軟性を改善でき、狭いスペースに容易に配設することができ、装置の小型化等に寄与するフレキシブル配線基板及びこれを用いた光学装置を提供することにある。
【課題を解決するための手段】
【０００６】
本発明のフレキシブル配線基板は、第１接続要素に接続される平板状の基部領域と、第２接続要素に接続される平板状の端部領域と、基部領域と端部領域を連結すると共に可撓性をもつ平板状の長尺可撓部領域とを備えるフレキシブル配線基板であって、上記長尺可撓部領域は、基部領域から分岐して伸長すると共に端部領域をそれぞれ画定する複数の分岐枝からなり、複数の分岐枝は、お互いに重なり合って伸長するように形成されている、ことを特徴としている。
この構成によれば、長尺可撓部領域が複数の分岐枝として形成され、かつ、複数の分岐枝がお互いに重なり合うように伸長して形成されているため、複数のプリント配線を設けつつもフレキシブル配線基板の幅寸法を小さく抑えることができ、又、それぞれの分岐枝は接合されるのではなく独立しているため、可撓性及び柔軟性を高めることができ、狭いスペースにおいても容易に配設することができる。
したがって、第１接続要素が固定要素でかつ第２接続要素が可動要素である場合に、フレキシブル配線基板の追従性が改善されるため、可動要素が移動する際の負荷を低減することができ、又、このフレキシブル配線基板を収容する装置等の小型化を達成することができる。
【０００７】
上記構成をなすフレキシブル配線基板において、複数の分岐枝は、基部領域から直接伸長する少なくとも一つの主分岐枝と、主分岐枝に折り重ねられる少なくとも一つの従分岐枝を含む、構成を採用することができる。
この構成によれば、フレキシブル配線基板を平板状の板材から打抜き等により形成する際に、基部領域と基部領域から分岐すると共にそれぞれ端部領域を画定する複数の分岐枝（少なくとも一つの主分岐枝、少なくとも一つの従分岐枝）を含むように形成し、一つの主分岐枝に他の従分岐枝を折り重ねるように曲げ加工を施すことで、容易に本発明のフレキシブル配線基板を得ることができる。
【０００８】
上記構成をなすフレキシブル配線基板において、基部領域、端部領域、及び長尺可撓領域には、片面にのみプリント配線が設けられており、従分岐枝は、基部領域の近傍において、少なくとも２回折り曲げられる折り曲げ部を含む、構成を採用することができる。
この構成によれば、基部領域、端部領域、及び長尺可撓領域を含むフレキシブル配線基板がその片面にのみプリント配線が設けられた状態で、従分岐枝が少なくとも２回折り曲げられる折り曲げ部を含むため、従分岐枝の可撓性を確保しつつ、従分岐枝を主分岐枝に容易に折り重ねることができる。
【０００９】
本発明の光学装置は、固定要素と、レンズ光学系を含む可動要素と、固定要素と可動要素の間に接続される配線要素とを備えた光学装置であって、上記配線要素は、上述の構成をなすフレキシブル配線基板のいずれか一つである、ことを特徴としている。
この構成によれば、複数のプリント配線を設けつつも、フレキシブル配線基板を幅狭でかつ可撓性及び柔軟性を改善することができるため、可動要素が移動する際の負荷抵抗を軽減でき、又、装置の小型化を達成することができる。
【発明の効果】
【００１０】
上記構成をなすフレキシブル配線基板によれば、複数のプリント配線を設けつつ、可撓性、柔軟性を改善でき、狭いスペースに容易に配設することができ、光学装置の小型化等に寄与するフレキシブル配線基板を得ることができる。
【図面の簡単な説明】
【００１１】
【図１】本発明に係るフレキシブル配線基板を適用した光学装置の断面図である。
【図２】図１に示す光学装置に含まれる像触れ補正ユニットの斜視図である。
【図３】図２に示す像触れ補正ユニットの分解斜視図である。
【図４】図２及び図３に示す像触れ補正ユニットに適用されるフレキシブル配線基板を示す斜視図である。
【図５】図２及び図３に適用されたフレキシブル配線基板を示すものであり、（ａ）は折り曲げ加工を施す前の展開平面図であり、（ｂ）は折り曲げ加工を施した状態での平面図である。
【図６】本発明に係るフレキシブル配線基板の他の実施形態を示すものであり、（ａ）は折り曲げ加工を施す前のフレキシブル配線基板の展開平面図であり、（ｂ）は折り曲げ加工を施した状態でのフレキシブル配線基板の平面図である。
【図７】本発明に係るフレキシブル配線基板のさらに他の実施形態を示すものであり、（ａ）は折り曲げ加工を施す前のフレキシブル配線基板の展開平面図であり、（ｂ）は折り曲げ加工を施した状態でのフレキシブル配線基板の平面図である。
【発明を実施するための形態】
【００１２】
以下、本発明の実施の形態について、添付図面を参照しつつ説明する。
この光学装置は、図１に示すように、固定要素としてのケース１、光軸Ｌ１を直角方向に進む光軸Ｌ２に光路変更するべくケース１に固定されたプリズム２、ケース１に固定されたレンズＧ１、レンズＧ２を保持し光軸Ｌ２方向に駆動される可動レンズ群３、レンズ光学系（レンズＧ３，Ｇ４，Ｇ５）を保持し光軸Ｌ２方向に駆動される可動要素としての像振れ補正ユニットＵ、像振れ補正ユニットＵに端部領域が接続された配線要素としてのフレキシブル配線基板６０、ケース１に固定されたレンズＧ６、ケース１に固定されたフィルタ４、ケース１に固定された撮像素子としてのＣＣＤ５、ケース１に設けられて可動レンズ群３を光軸Ｌ２方向に駆動する駆動ユニット（不図示）、ケース１に設けられて像振れ補正ユニットＵを光軸Ｌ２方向に駆動する駆動ユニット（不図示）、ケース１に固定された第１接続要素（固定要素）としての制御ユニット（不図示）等を備えている。
【００１３】
像振れ補正ユニットＵは、図２及び図３に示すように、固定枠１０、カバー枠２０、可動枠３０、第１駆動機構４０（第１駆動磁石４１，第２接続要素としての第１コイル４２，及び第１ヨーク４３，４４）、第２駆動機構５０（第２駆動磁石５１，第２接続要素としての第２コイル５２，及び第２ヨーク５３，５４）、復帰磁石７０（第１復帰磁石７１、第２復帰磁石７２）、磁気センサ８０（第１磁気センサ８１、第２磁気センサ８２）等を備えている。
そして、第２接続要素（可動要素）としての第１コイル４２及び第２コイル５２に対してフレキシブル配線基板６０が接続されている。尚、磁気センサ８０（８１，８２）についても、同様のフレキシブル配線基板が接続されているが、同様の構成であるため省略する。
【００１４】
固定枠１０は、図２及び図３に示すように、光軸Ｌ２方向に略扁平で、光軸Ｌ２を中心とする開口部１１、光軸Ｌ２方向に伸長するガイドシャフトが挿入される被ガイド部１２，１３、駆動ユニットに含まれるリードスクリューに螺合されたナットが当接する当接部１４等を備えている。
そして、固定枠１０には、図３に示すように、開口部１１の両側において、第１駆動磁石４１及び第１ヨーク４３と第２駆動磁石５１及び第２ヨーク５３が嵌合して固定されている。
【００１５】
カバー枠２０は、図３に示すように、光軸Ｌ２方向において可動枠３０を挟み込むように配置されて固定枠１０にネジＢにより固定されており、その中央において円形状の切り欠き部２１を備えている。
そして、カバー枠２０には、切り欠き部２１の両側において、第１磁気センサ８１と第２磁気センサ８２が嵌合して固定されている。
【００１６】
可動枠３０は、図３に示すように、光軸Ｌ２方向に一部を除いて略扁平で、光軸Ｌ２を中心としレンズＧ３，Ｇ４，Ｇ５を保持する円筒状の保持部３１を備えている。
そして、可動枠３０には、保持部３１の両側において、第１コイル４２及び第１復帰磁石７１と、第２コイル５２及び第２復帰磁石７２が嵌合して固定されている。
また、可動枠３０は、固定枠１０とカバー枠２０に挟まれて、光軸Ｌ２に垂直な平面内で、支持機構（例えば、摺動面、複数のボール等）により所定の範囲内を移動自在に支持されている。
【００１７】
第１駆動機構４０と第２駆動機構５０は、第１コイル４２及び第２コイル５２への通電を制御することにより、第１コイル４２と第１駆動磁石４１との間に生じる磁気回路及び第２コイル５２と第２駆動磁石５１との間に生じる磁気回路により、可動枠３０を光軸Ｌ２に垂直な平面内で駆動する駆動力を生じるようになっている。
第１復帰磁石７１と第２復帰磁石７２は、それぞれ対向する第１駆動磁石４１と第２駆動磁石５１との間に生じる磁気的吸引及び反発作用により、休止状態において、可動枠３０を中心位置（レンズＧ３，Ｇ４，Ｇ５の光軸Ｌ２が開口部１１の中心と一致する位置）に復帰させる（センタリングする）ようになっている。
第１磁気センサ８１は、対向して配置された第１復帰磁石７１の相対的な移動により、可動枠３０の位置を検出するようになっている。
第２磁気センサ８２は、対向して配置された第２復帰磁石７２の相対的な移動により、可動枠３０の位置を検出するようになっている。
【００１８】
フレキシブル配線基板６０は、図３及び図４に示すように、平板状の基部領域６１、平板状の端部領域６２，６３、基部領域６１と端部領域６２，６３を連結すると共に可撓性をもつ平板状の長尺可撓部領域としての複数（ここでは、２つ）の分岐枝６４，６５、分岐枝６５に設けられた折り曲げ部６６等を備えている。
【００１９】
基部領域６１は、ケース１に固定された固定要素である第１接続要素としての制御ユニット等に接続されるようになっている。
端部領域６２は、可動要素である像振れ補正ユニットＵに含まれる第２接続要素としての第１コイル４２に接続されるようになっている。
端部領域６３は、可動要素である像振れ補正ユニットＵに含まれる第２接続要素としての第２コイル５２に接続されるようになっている。
分岐枝６４は、基部領域６１から直接（折り曲げられることなく）伸長する主分岐枝であり、その先端側において端部領域６２を画定している。
分岐枝６５は、分岐枝（主分岐枝）６４に重ねられる従分岐枝であり、基部領域６１の近傍において、２回折り曲げられる折り曲げ部６６を含み、この折り曲げ部６６によって、分岐枝（主分岐枝）６４に折り重ねられるようになっている。
すなわち、分岐枝（主分岐枝）６４と分岐枝（従分岐枝）６５は、お互いに重なり合って伸長するように形成されている。
【００２０】
尚、フレキシブル配線基板６０においては、基板の一方の面上においてのみ、基部領域６１から分岐枝６４を経て端部領域６２に至るまで必要に応じた本数のプリント配線が設けられ、又、基部領域６１から折り曲げ部６６及び分岐枝６５を経て端部領域６３に至るまで必要に応じた本数のプリント配線が設けられている。
【００２１】
フレキシブル配線基板６０の製造に際しては、先ず、図５（ａ）に示すように、基材となる平板状の板材において、打抜き加工等を施して、基部領域６１、分岐枝６４及び端部領域６２、分岐枝６５及び端部領域６４並びに折り曲げ部６６を画定するように形成する。ここで、折り曲げ部６６は、全体が湾曲又は屈曲するように形成されると共に、基部領域６１の付け根部分に設けられた谷折りライン６６ａ、谷折りライン６６ａから所定の間隔をあけて設けられた山折りライン６６ｂを含むように形成されている。
そして、折り曲げ部６６において、谷折りライン６６ａに沿って谷折りを施し、続いて、山折りライン６６ｂに沿って山折りを施すことで、図５（ｂ）に示すように、分岐枝（主分岐枝）６４に対して分岐枝（従分岐枝）６５が折り重ねられる。
ここでは、分岐枝（従分岐枝）６５が、基部領域６１の近傍において、少なくとも２回折り曲げられる折り曲げ部６６を含むため、分岐枝（従分岐枝）６５の可撓性を確保しつつも、分岐枝（従分岐枝）６５を分岐枝（主分岐枝）６４に容易に折り重ねることができる。
【００２２】
このように、基部領域６１と端部領域６２，６３とを連結する長尺可撓部領域が複数の分岐枝６４，６５として形成され、かつ、複数の分岐枝６４，６５がお互いに重なり合うように伸長して形成されているため、複数のプリント配線を設けつつもフレキシブル配線基板６０の幅寸法を小さく（約半分に）抑えることができ、又、それぞれの分岐枝６４，６５は接合されるのではなく独立しているため、可撓性及び柔軟性を高めることができ、狭いスペースにおいても容易に配設することができる。
したがって、このフレキシブル配線基板６０が、固定要素である制御ユニットと可動要素である像振れ補正ユニットＵの間に接続されると、その可撓性及び柔軟性が十分確保されて追従性が改善されるため、像振れ補正ユニットＵが光軸Ｌ２方向に移動する際の負荷を低減することができる。また、このフレキシブル配線基板６０をケース１内に収容する際に、配設を容易に行うことができ、又、ケース１の小型化を達成することができる。
【００２３】
図６は、本発明に係るフレキシブル配線基板の他の実施形態を示すものである。
この実施形態におけるフレキシブル配線基板１６０は、図６に示すように、第１接続要素に接続される平板状の基部領域１６１、基部領域１６１から分岐して伸長する平板状の長尺可撓部領域としての複数（ここでは、４つ）の分岐枝１６２，１６３，１６４，１６５、分岐枝１６２，１６３，１６４，１６５の先端領域にそれぞれ画定されて第２接続要素に接続される平板状の端部領域１６２ａ，１６３ａ，１６４ａ，１６５ａ、分岐枝１６４，１６５にそれぞれ設けられた折り曲げ部１６６，１６７等を備えている。
【００２４】
基部領域１６１は、固定要素である第１接続要素に接続されるようになっている。
端部領域１６２ａ，１６３ａ，１６４ａ，１６５ａは、それぞれ可動要素である第２接続要素に接続されるようになっている。
分岐枝１６２，１６３は、基部領域１６１から直接（折り曲げられることなく）伸長する主分岐枝である。
分岐枝１６４は、分岐枝（主分岐枝）１６２に重ねられる従分岐枝であり、基部領域１６１の近傍において、２回折り曲げられる折り曲げ部１６６を含み、この折り曲げ部１６６によって、分岐枝（主分岐枝）１６２に折り重ねられている。
すなわち、分岐枝（主分岐枝）１６２と分岐枝（従分岐枝）１６４は、お互いに重なり合って伸長するように形成されている。
分岐枝１６５は、分岐枝（主分岐枝）１６３に重ねられる従分岐枝であり、基部領域１６１の近傍において、２回折り曲げられる折り曲げ部１６７を含み、この折り曲げ部１６７によって、分岐枝（主分岐枝）１６３に折り重ねられている。
すなわち、分岐枝（主分岐枝）１６３と分岐枝（従分岐枝）１６５は、お互いに重なり合って伸長するように形成されている。
【００２５】
尚、フレキシブル配線基板１６０においては、基板の一方の面上においてのみ、基部領域１６１から分岐枝１６２を経て端部領域１６２ａに至るまで必要に応じた本数のプリント配線が設けられ、基部領域１６１から分岐枝１６３を経て端部領域１６３ａに至るまで必要に応じた本数のプリント配線が設けられ、基部領域１６１から折り曲げ部１６６及び分岐枝１６４を経て端部領域１６４ａに至るまで必要に応じた本数のプリント配線が設けられ、基部領域１６１から折り曲げ部１６７及び分岐枝１６５を経て端部領域１６５ａに至るまで必要に応じた本数のプリント配線が設けられている。
【００２６】
フレキシブル配線基板１６０の製造に際しては、先ず、図６（ａ）に示すように、基材となる平板状の板材において、打抜き加工等を施して、基部領域１６１、分岐枝１６２（及び端部領域１６２ａ）、分岐枝１６３（及び端部領域１６３ａ）、分岐枝１６４（及び端部領域１６４ａ）並びに折り曲げ部１６６、分岐枝１６５（及び端部領域１６５ａ）並びに折り曲げ部１６７を画定するように形成する。
ここで、折り曲げ部１６６，１６７は、全体が湾曲又は屈曲するように形成されると共に、基部領域１６１の付け根部分に設けられた谷折りライン１６６ａ，１６７ａ、谷折りライン１６６ａ，１６７ａから所定の間隔をあけて設けられた山折りライン１６６ｂ，１６７ｂを含むように形成されている。
【００２７】
そして、折り曲げ部１６６において、谷折りライン１６６ａに沿って谷折りを施し、続いて、山折りライン１６６ｂに沿って山折りを施すことで、図６（ｂ）に示すように、分岐枝（主分岐枝）１６２に対して分岐枝（従分岐枝）１６４が折り重ねられる。
また、折り曲げ部１６７において、谷折りライン１６７ａに沿って谷折りを施し、続いて、山折りライン１６７ｂに沿って山折りを施すことで、図６（ｂ）に示すように、分岐枝（主分岐枝）１６３に対して分岐枝（従分岐枝）１６５が折り重ねられる。
ここでは、従分岐枝１６４，１６５が、基部領域１６１の近傍において、少なくとも２回折り曲げられる折り曲げ部１６６，１６７を含むため、分岐枝（従分岐枝）１６４，１６５の可撓性を確保しつつ、分岐枝（従分岐枝）１６４，１６５を分岐枝（主分岐枝）１６２，１６３にそれぞれ容易に折り重ねることができる。
【００２８】
このように、基部領域１６１と端部領域１６２ａ，１６３ａ，１６４ａ，１６５ａとを連結する長尺可撓部領域が複数の分岐枝１６２，１６３，１６４，１６５として形成され、かつ、複数の分岐枝１６２，１６４又は分岐枝１６３，１６５がお互いに重なり合うように伸長して形成されているため、複数のプリント配線を設けつつもフレキシブル配線基板１６０の幅寸法を小さく（約半分に）抑えることができ、又、それぞれの分岐枝１６２，１６４又は分岐枝１６３，１６５は接合されるのではなく独立しているため、可撓性及び柔軟性を高めることができ、狭いスペースにおいても容易に配設することができる。
したがって、このフレキシブル配線基板１６０が、光学装置の固定要素と可動要素の間に接続されると、その可撓性及び柔軟性が十分確保されて追従性が改善されるため、可動要素が移動する際の負荷を低減することができる。また、このフレキシブル配線基板１６０を装置内に収容する際に、配設を容易に行うことができ、又、装置の小型化を達成することができる。
【００２９】
図７は、本発明に係るフレキシブル配線基板のさらに他の実施形態を示すものである。
この実施形態におけるフレキシブル配線基板６０´は、図７に示すように、平板状の基部領域６１´、平板状の端部領域６２´，６３´、基部領域６１´と端部領域６２´，６３´を連結すると共に可撓性をもつ平板状の長尺可撓部領域としての複数（ここでは、２つ）の分岐枝６４，６５、分岐枝６５に設けられた折り曲げ部６６等を備えている。
尚、分岐枝（従分岐枝）６５を分岐枝（主分岐枝）６４に折り重ねる手順は前述同様であるため、説明を省略する。
【００３０】
そして、このフレキシブル配線基板６０´は、基部領域６１´が可動要素である第１接続要素としてのＣＣＤ１００に接続され、端部領域６２´，６３´が固定要素である第２接続要素（例えば、光学装置の制御ユニット等）に接続されるようになっている。
このように、基部領域６１´を可動要素に接続し、端部領域６２´，６３´を固定要素に接続する場合であっても、前述同様に、フレキシブル配線基板６０´の可撓性及び柔軟性が十分確保されて追従性が改善されるため、可動要素が移動する際の負荷を低減することができる。また、このフレキシブル配線基板６０´を装置内に収容する際に、配設を容易に行うことができ、又、装置の小型化を達成することができる。
【００３１】
上記実施形態においては、フレキシブル配線基板６０において、主分岐枝として一つの分岐枝６４、従分岐枝として一つの分岐枝６５を採用した場合を示したが、これに限定されるものではなく、従分岐枝として２つ以上の分岐枝を採用してもよい。
上記実施形態においては、フレキシブル配線基板１６０において、主分岐枝として二つの分岐枝１６２，１６３、従分岐枝としてそれぞれ一つの分岐枝１６４，１６５を採用した場合を示したが、これに限定されるものではなく、分岐枝（主分岐枝）１６３，１６４にそれぞれ重ねられる従分岐枝として２つ以上の分岐枝を採用してもよい。また、３つ以上の主分岐枝を採用してもよい。
【００３２】
上記実施形態においては、このフレキシブル配線基板が採用される光学装置として、像振れ補正ユニットＵを含む光学装置を示したが、これに限定されるものではなく、その他の可動要素を含む光学装置においても適用することができる。
上記実施形態においては、フレキシブル配線基板の基部領域が固定要素に接続され、端部領域が可動要素に接続される場合、又は、フレキシブル配線基板の基部領域が可動要素に接続され、端部領域が固定要素に接続される場合を示したが、これに限定されるものではなく、基部領域と端部領域が共に固定要素だけ又は可動要素だけに接続されてもよい。
【産業上の利用可能性】
【００３３】
以上述べたように、本発明のフレキシブル配線基板は、複数のプリント配線を設けつつ、可撓性、柔軟性を改善でき、狭いスペースに容易に配設することができるため、小型化が要求される光学装置等に適用できるのは勿論のこと、その他の電気的接続を必要としかつ小型化が要求される電子機器等に有用である。
【符号の説明】
【００３４】
Ｌ１，Ｌ２  光軸
Ｇ１，Ｇ２，Ｇ３，Ｇ４，Ｇ５，Ｇ６  レンズ
１  ケース（固定要素、第１接続要素）
２  プリズム
３  可動レンズ群
４  フィルタ
５，１００  ＣＣＤ
Ｕ  像触れ補正ユニット（可動要素）
１０  固定枠
１１  開口部
１２，１３  被ガイド部
１４  当接部
２０  カバー枠
２１  切り欠き部
３０  可動枠
３１  保持部
４０  第１駆動機構
４１  第１駆動磁石
４２  第１コイル（第２接続要素）
４３，４４  第１ヨーク
５０  第２駆動機構
５１  第２駆動磁石
５２  第２コイル（第２接続要素）
５３，５４  第２ヨーク
６０，６０´，１６０  フレキシブル配線基板
６１，６１´，１６１  基部領域
６２，６２´，６３，６３´，１６２ａ，１６３ａ，１６４ａ，１６５ａ  端部領域
６４，１６２，１６３  分岐枝（主分岐枝）
６５，１６４，１６５  分岐枝（従分岐枝）
６６，１６６，１６７  折り曲げ部
６６ａ，１６６ａ，１６７ａ  谷折りライン
６６ｂ，１６６ｂ，１６７ｂ  山折りライン
７０  復帰磁石
７１  第１復帰磁石
７２  第２復帰磁石
８０  磁気センサ
８１  第１磁気センサ
８２  第２磁気センサ
【図１】
2010205774.tif 000003
【図２】
2010205774.tif 000004
【図３】
2010205774.tif 000005
【図４】
2010205774.tif 000006
【図５】
2010205774.tif 000007
【図６】
2010205774.tif 000008
【図７】
2010205774.tif 000009